(57)【要約】【課題】建物の外壁の目地を貫通して突出する突出部に対して効率的に止水施工が行える止水部材および当該止水部材を用いた目地止水構造を提供する。【解決手段】止水部材１は、建物の外壁の縦目地２００ａを貫通して屋外側に突出する突出部２０１に装着される。この止水部材１は、上記突出部２０１の外周を覆う筒状の第１シール部１１と、上記第１シール部１１の屋内端側の箇所から上記突出部２０１の突出方向と交差する方向に張り出す横方向張出部１２１、上方向張出部１２２、および下方向張出部１２３とを有する柔軟性のある第２シール部と、を備える。上記第２シール部１２の横方向張出部１２１は、縦目地２００ａ内に押し込まれた状態で当該縦目地２００ａを構成する縦胴縁３の木口に接触して屋外方向に先端が向くように曲がる。【選択図】図１
2018159262.tif 000002
【特許請求の範囲】
【請求項１】
建物の外壁の目地を貫通して屋外側に突出する突出部に装着される止水部材であって、
上記突出部の外周を覆う筒状の第１シール部と、
上記第１シール部の屋内端側の箇所から、上記突出部の突出方向と交差する方向であって、上記突出部が位置する箇所の目地の幅よりも広い幅で横方向に張り出す横方向張出部と、上方向に張り出す上方向張出部と、下方向に張り出す下方向張出部とを有する柔軟性のある第２シール部と、を備えることを特徴とする止水部材。
【請求項２】
請求項１に記載の止水部材において、上記第２シール部の横方向張出部は、建物の目地内に押し込まれた状態で当該目地を構成する隣り合う下地材の木口に接触して屋外方向に先端が向くように曲がることを特徴とする止水部材。
【請求項３】
請求項１または請求項２に記載の止水部材において、上記第１シール部の屋内側端または上記第２シール部の屋内側面であって上記突出部の横側となる位置に、上記目地内の隣り合う板材の各角または各角の近傍に接触する２本の第１防水凸部が設けられていることを特徴とする止水部材。
【請求項４】
請求項３に記載の止水部材において、上記２本の第１防水凸部は上記下方向張出部にも延びていることを特徴とする止水部材。
【請求項５】
請求項３または請求項４に記載の止水部材において、上記２本の第１防水凸部は上記上方向張出部にも延びていることを特徴とする止水部材。
【請求項６】
請求項３〜請求項５のいずれか１項に記載の止水部材において、上記第１シール部または上記第２シール部の屋内側であって上記突出部の下側となる位置に、上記２本の第１防水凸部間への水の浸入を止める第２防水凸部が設けられていることを特徴とする止水部材。
【請求項７】
請求項１〜請求項６のいずれか１項に記載の止水部材において、上記上方向張出部の屋外側となる面には、当該上方向張出部の横幅方向に長くされた第３防水凸部が設けられていることを特徴とする止水部材。
【請求項８】
請求項１〜請求項７のいずれか１項に記載の止水部材において、上記上方向張出部は、上記建物の外壁の目地に設けられる上側のガスケットに重なる長さを有することを特徴とする止水部材。
【請求項９】
請求項１〜請求項８のいずれか１項に記載の止水部材において、上記下方向張出部は、上記建物の外壁の目地に設けられる下側のガスケットに重なる長さを有することを特徴とする止水部材。
【請求項１０】
請求項１〜請求項９のいずれか１項に記載の止水部材において、上記第１シール部の横側の外表面には、不定形シールによる１次止水部を支持する支持部が形成されていることを特徴とする止水部材。
【請求項１１】
請求項１〜請求項１０のいずれか１項に記載の止水部材において、上記第１シール部の基端側の上部側に、または上記基端側の上部側の近傍に位置する上記第２シール部の箇所に、上向に凸となる分水凸部が形成されていることを特徴とする止水部材。
【請求項１２】
建物の外壁の目地を貫通して屋外側に突出する突出部の止水を行う目地止水構造であって、請求項１〜請求項１１のいずれか１項に記載の止水部材の上記第１シール部によって上記突出部が存在する目地で当該突出部の周囲が覆われるとともに、上記第１シール部の周囲に設けられた１次止水部よりも屋内側に上記第２シール部が押し込まれていることを特徴とする目地止水構造。
【発明の詳細な説明】
【技術分野】
【０００１】
この発明は、建物の外壁の目地を貫通して屋外側に突出する突出部に装着される止水部材および当該止水部材を用いた目地止水構造に関する。
【背景技術】
【０００２】
特許文献１には、縦目地から突出する腕木の壁面側基端部に挿装可能な、下方に開口した縦溝が、略中央に形成されてなる底板部と、上記底板部の上縁及び左右両側縁から前方に略同寸の見込み寸法で迫り出す上枠部及び左右両枠部と、上記各枠部の前縁から底板部と略平行に外方に延出された前板部とを具備するシーリング補助材が開示されている。
【先行技術文献】
【特許文献】
【０００３】
【特許文献１】特開２００５−３３６７１５号公報
【発明の概要】
【発明が解決しようとする課題】
【０００４】
しかしながら、上記従来の技術は、シーリング補助材を用いるため、腕木が目地部から屋外に張り出すようにした建物について効率的な止水施工を実現できていないという問題がある。
【０００５】
この発明は、上記の事情に鑑み、建物の外壁の目地を貫通して突出する突出部に対して効率的に止水施工が行える止水部材および当該止水部材を用いた目地止水構造を提供することを目的とする。
【課題を解決するための手段】
【０００６】
この発明の止水部材は、上記の課題を解決するために、建物の外壁の目地を貫通して屋外側に突出する突出部に装着される止水部材であって、上記突出部の外周を覆う筒状の第１シール部と、上記第１シール部の屋内端側の箇所から、上記突出部の突出方向と交差する方向であって、上記突出部が位置する箇所の目地の幅よりも広い幅で横方向に張り出す横方向張出部と、上方向に張り出す上方向張出部と、下方向に張り出す下方向張出部とを有する柔軟性のある第２シール部と、を備えることを特徴とする。
【０００７】
上記構成の止水部材を用いると、上記突出部に被せた第１シール部の外周側において施した１次止水処理によって１次止水が行える。そして、上記１次止水よりも屋内側での２次的な止水は、柔軟性のある上記第２シール部を目地内に押し込むことによって行える。そして、上記突出部への上記止水部材の装着は、建物の外壁が建て方において建てられた後において行うことが可能であるため、上記突出部に対して効率的に止水施工が行えるようになる。さらには、上記突出部の止水処理を外壁の取付前に行う必要がある場合には、例えば、胴差板を用いることになるため、横目地ができて意匠性が低下するおそれがあるが、上記のように突出部への止水部材の装着を建物の外壁の施工後に行うことができると、上記胴差板を用いる場合の意匠性の低下も回避できる。さらには、上記のように第２シール部が柔軟性を有すると、外壁施工において精度が十分に出ていないような場合でも、上記第２シール部が変形できる範囲内で適切に対処することが可能である。
【０００８】
上記第２シール部の横方向張出部は、建物の目地内に押し込まれた状態で当該目地を構成する隣り合う下地材の木口に接触して屋外方向に先端が向くように曲がるようにしてもよい。これによれば、雨水が１次止水部を突破して目地内に浸入し、上記部材の木口に至っても、上記第２シール部の横方向張出部は、上記木口に接触して樋として機能できることになるので、上記木口より屋内側に雨水が浸入するのを防止することができる。
【０００９】
上記第１シール部の屋内側端または上記第２シール部の屋内側面であって上記突出部の横側となる位置に、上記目地内の隣り合う板材の各角または各角の近傍に接触する２本の第１防水凸部が設けられていてもよい。これによれば、仮に雨水が上記第２シール部を突破したとしても、この雨水が上記目地内の隣り合う板材間に入りこむのを上記第１防水凸部によって防止することができる。
【００１０】
上記２本の第１防水凸部は上記下方向張出部にも延びていてもよい。また、上記２本の第１防水凸部は上記上方向張出部にも延びていてもよい。
【００１１】
上記第１シール部または上記第２シール部の屋内側であって上記突出部の下側となる位置に、上記２本の第１防水凸部間への水の浸入を止める第２防水凸部が設けられていてもよい。これによれば、上記目地に設けられるガスケットの２次止水側で下から吹き上げられた水が上記突出部の下側の箇所に入り込むのを上記第２防水凸部によって防止することができる。
【００１２】
上記上方向張出部の屋外側となる面には、当該上方向張出部の横幅方向に長くされた第３防水凸部が設けられていてもよい。これによれば、上記突出部の目地内箇所で吹き上げられた水が当該突出部の上側のガスケットよりも屋内側に入り込むのを第３防水凸部によって防止することができる。
【００１３】
上記上方向張出部は、上記建物の外壁の目地に設けられる上側のガスケットに重なる長さを有していてもよい。これによれば、上記上方向張出部を上側のガスケット内に入り込ませて目地止水の性能を高めることができる。
【００１４】
上記下方向張出部は、上記建物の外壁の目地に設けられる下側のガスケットに重なる長さを有していてもよい。これによれば、上記下方向張出部を下側のガスケット内に入り込ませて目地止水の性能を高めることができる。
【００１５】
上記第１シール部の横側の外表面には、不定形シールによる１次止水部を支持する支持部が形成されていてもよい。これによれば、当該止水部材を目地内に押し込んだ後、１次止水を規定位置に的確に設けることができる。
【００１６】
上記第１シール部の基端側の上部側に、または上記基端側の上部側の近傍に位置する上記第２シール部の箇所に、上向に凸となる分水凸部が形成されていてもよい。これによれば、第２シール部が目地の屋内側に入り込んで湾曲するときに、上記第１シール部の基端側の上部側または上記第２シール部の上記箇所に上記分水凸部が存在することで、当該箇所が凹むことは生じ難くなる。すなわち、凹みを生じて水を溜めるといったことなく、上側からの水を上記分水凸部によって左右に流すことができる。
【００１７】
また、この発明の目地止水構造は、建物の外壁の目地を貫通して屋外側に突出する突出部の止水を行う目地止水構造であって、上記のいずれかに記載の止水部材の上記第１シール部によって上記突出部が存在する目地で当該突出部の周囲が覆われるとともに、上記第１シール部の周囲に設けられた１次止水部よりも屋内側に上記第２シール部が押し込まれていることを特徴とする。
【発明の効果】
【００１８】
本発明であれば、建物の外壁の目地を貫通して突出する突出部に対して効率的に止水が行える等の諸効果を奏する。
【図面の簡単な説明】
【００１９】
【図１】本発明の実施形態の止水部材および目地止水構造を示した概略の水平断面図であって、同図（Ａ）は雨水の浸入経路を説明し、同図（Ｂ）は突出部の上下に位置するガスケットとの位置関係を示している。
【図２】図１中の止水部材の正面と側面と背面を示した図である。
【図３】図２の止水部材を異なる２方向から斜視により示した説明図である。
【図４】本発明の実施形態を示した図であって、止水部材の第２シール部と上下に位置するガスケットとの重ね合わせの関係を示した説明図である。
【図５】本発明の実施形態を示した図であって、止水部材を突出部に屋外側から被せる工程を示した説明図である。
【図６】本発明の実施形態を示した図であって、止水部材を突出部に屋外側から被せた状態を示した説明図である。
【図７】上記実施形態の止水部材を目地内に押し込むことで、広がり配置の第１防水凸部が略平行配置になることを示した説明図である。
【図８】同図（Ａ）は図７のＡ−Ａ矢視の断面の説明図であり、同図（Ｂ）は図７のＢ−Ｂ矢視の断面の説明図である。
【図９】他の実施形態の止水部材の正面と側面と背面を示した図である。
【図１０】上記実施形態の止水部材を目地内に押し込むことで、平行配置の第１防水凸部が捩じれて位置することを示した説明図である。
【図１１】同図（Ａ）は図１０のＡ１−Ａ１矢視の断面の説明図であり、同図（Ｂ）は図１０のＢ１−Ｂ１矢視の断面の説明図である。
【図１２】図９の止水部材の斜視説明図である。
【図１３】図９の止水部材の斜視説明図である。
【図１４】図９の止水部材において第２シール部の下端側を斜めカットしない形態を示した説明図である。
【発明を実施するための形態】
【００２０】
以下、この発明の実施形態の止水部材および目地止水構造を添付図面に基づいて説明する。図１（Ａ）に示すように、止水部材１は、建物の外壁パネル２００の縦目地２００ａを貫通して突出する腕木等の突出部２０１に装着され、上記突出部２０１の外周を覆う筒状の第１シール部１１と、上記第１シール部１１の屋内端側の箇所から上記突出部２０１の突出方向と交差する方向に張り出す柔軟性のある第２シール部１２とを備えている。
【００２１】
また、上記外壁パネル２００は、外壁面材２と、縦胴縁３と、板材（グラスウール板の断熱材等）４と、上記外壁面材２を取り付ける支持材となるフレーム５とを備えている。上記縦胴縁３は上記外壁面材２の裏面側（屋内側）に位置しており、上記板材４は上記縦胴縁３の裏面側（屋内側）に位置している。
【００２２】
上記縦胴縁３および上記板材４は、図示しない釘によって上記フレーム５に固定されている。また、上記板材４には沈み込み防止用の樹脂ピン６が設けられており、上記縦胴縁３に上記釘が打ち込まれるときに上記板材４が沈み込むのが防止される。また、上記外壁面材２の裏面には図示しない係合穴が形成されている。そして、上記フレーム５には、図示しない裏面固定ビスがねじ込まれており、この裏面固定ビスの突出頭部を上記係合穴に係合することで上記外壁面材２が上記フレーム５に支持される。
【００２３】
左右に隣り合う外壁パネル２００間に上記縦目地２００ａが形成される。そして、この縦目地２００ａでは、上記突出部２０１が突出する箇所の目地幅は、他の箇所の目地幅よりも広くされており、この広くされた幅の目地には、１次止水部８となる不定形シール８１が設けられる。また、上記不定形シール８１は受け部材８２によって受け止められている。
【００２４】
図１（Ｂ）には、上記の止水部材１を用いた目地止水構造において、上記突出部２０１の上方位置と下方位置に存在するガスケット７との平面視における位置関係を示している。上記ガスケット７は、上記突出部２０１が位置する箇所において分断されている。また、上記ガスケット７は、１次止水部７１と２次止水部７２とが一体に形成されたものであり、上記止水部材１の上記第２シール部１２は、上記２次止水部７２が担う２次止水ラインを担っている。
【００２５】
図２および図３に示すように、上記止水部材１における上記第１シール部１１は、断面縦長の四角形を有する上記突出部２０１の外周を覆う縦長の角筒形状を有している。上記第１シール部１１は、極力隙間を無くして上記突出部２０１に被されるのが望ましい。また、上記第２シール部１２は、上記突出部２０１の突出方向と交差する全方向に延設されており、上記突出部２０１が位置する箇所の上記縦目地２００ａの幅よりも広い幅で横方向に延長された横方向張出部１２１と、上方向に延長された上方向張出部１２２と、下方向に延長された下方向張出部１２３とを有している。
【００２６】
上記第１シール部１１と第２シール部１２とをゴム等の同一素材で一体形成してもよく、この場合、上記第１シール部１１についてはある程度の剛性をもたせるために厚肉とし、上記第２シール部１２については薄肉として柔軟性を持たせる。この実施形態では、上記第１シール部１１と第２シール部１２とを別素材で独立して形成し貼り合わせている。このような構造とする場合、例えば、上記第１シール部１１の基端部に接着代となる突出片部を形成しておき、この突出片部に上記第２シール部１２を接着することができる。また、この実施形態では、上記第１シール部１１の基端部の開口を縦に長くし、当該第１シール部１１の本体部との間に傾斜ガイド部１１ｂを形成しており、この傾斜ガイド部１１ｂによって上記突出部２０１への現場挿入が円滑に行えるようにしている。
【００２７】
上記第２シール部１２の横方向張出部１２１は、上記縦目地２００ａ内に押し込まれた状態で当該縦目地２００ａを構成する上記縦胴縁３の木口に接触して屋外方向に先端が向くように曲がる。なお、上記第２シール部の柔軟性に関しては、上記目地への押し込みが円滑に行える一方で、上記木口に圧接する弾性（コシ）を有し、上記木口間に雨水が浸入しないようにする。また、上記第２シール部１２が上記縦目地２００ａ内に押し込まれた状態で、上記第１シール部１１は、上記１次止水部８よりも屋外側に突出する長さを有している。
【００２８】
上記第１シール部１１の屋内側端であって上記突出部２０１の横側となる位置には、上記縦目地２００ａ内の隣り合う上記板材４の各角または各角の近傍に接触する２本の線状で断面矩形の第１防水凸部１０１が設けられている。上記第１防水凸部１０１としては、例えば、ＥＰＤＭ（エチレン・プロピレンゴム）の発泡体などの柔軟性のあるスポンジ状の素材や比較的硬い非発泡のゴム材等を用いることができる。なお、上記第１防水凸部１０１は、上記第１シール部１１の屋内側端に設けることに限らず、上記第２シール部１２の屋内側面に設けてもよい。ただし、上記第１防水凸部１０１を上記板材４に圧接できるように、上記第１防水凸部１０１を上記第１シール部１１の屋内側端に設けるのが望ましい。
【００２９】
上記２本の第１防水凸部１０１は、上記下方向張出部１２３にも延びている。さらに、上記２本の第１防水凸部１０１は、上記上方向張出部１２２の側に互いに広がるように延びている。また、上記第１シール部１１の屋内側端であって上記突出部２０１の下側となる位置に、上記２本の第１防水凸部１０１に繋がる断面矩形の第２防水凸部１０２が設けられている。この第２防水凸部１０２も、例えばＥＰＤＭの発泡体やゴム等からなる。
【００３０】
また、上記上方向張出部１２２の屋外側となる面には、当該上方向張出部１２２の横方向に長い線状で断面矩形の第３防水凸部１０３が設けられている。この第３防水凸部１０３も、例えばＥＰＤＭの発泡体やゴム等からなる。
【００３１】
図４に示すように、上記上方向張出部１２２は、上記縦目地２００ａに設けられる上側のガスケット７に重なる長さを有している。そして、この止水部材１の取付施工においては、上記縦目地２００ａ内で上記上方向張出部１２２も曲がることになり、この曲がった上方向張出部１２２の上端を、上側のガスケット７の屋内側の部位に治具等を用いて入り込ませるようにしている。この状態では、上側のガスケット７の最も屋内側のフィン部（図１（Ｂ）のａ部参照）の切断箇所の端面の左右両側に、上記２本の第１防水凸部１０１における上記互いに広がる部分が位置する。また、この状態では、上記上方向張出部１２２の屋外側となる面に設けられた上記第３防水凸部１０３が上側のガスケット７の最も屋内側のフィン部の屋外側（図１（Ｂ）のｂ部参照）に位置することになる。
【００３２】
また、上記下方向張出部１２３は、上記縦目地２００ａに設けられる下側のガスケット７に重なる長さを有している。そして、この止水部材１の取付施工においては、上記２本の第１防水凸部１０１に繋がる上記第２防水凸部１０２が、上側のガスケット７の屋内側から２番目のフィン部（図１（Ｂ）のｃ部参照）の切断の箇所に位置することになる。
【００３３】
上記のように、上記上方向張出部１２２は、上記縦目地２００ａに設けられる上側のガスケット７に重なる長さを有し、上記下方向張出部１２３は、上記縦目地２００ａに設けられる下側のガスケット７に重なる長さを有しているが、これらの張出部１２２，１２３は柔軟性を有するので、図５および図６に示すように、上記止水部材１を屋外側から上記突出部２０１に嵌合させて装着することができる。もちろん、この装着において適切な治具を用いることができる。また、上記止水部材１の上記治具で押される箇所を厚肉に形成しておくのが望ましい。
【００３４】
また、上記第１シール部１１の左右横側の外表面には、１次止水部８となる不定形シール８１を受ける上記受け部材８２を支持する支持部１１ａが形成されている。この止水部材１を上記突出部２０１に取り付けた後、上記受け部材８２を上記縦目地２００ａ内に押し込み、上記支持部１１ａで支持させた後、上記受け部材８２上に不定形シール８１を形成する。なお、上記第１シール部１１は、上記不定形シール８１を直接受ける部位において止水面をしっかりと形成するためにも、また、上記突出部２０１に取り付ける際に破れるのを防止するとともに挿入性を高めるためにも、十分な剛性を有するのが望ましい。
【００３５】
上記構成の止水部材１を用いると、上記突出部２０１に被せた第１シール部１１の外周側において施した１次止水処理によって１次止水部８を形成できる。そして、上記１次止水部８よりも屋内側での２次的な止水は、柔軟性のある上記第２シール部１２を上記縦目地２００ａ内に押し込むことによって行える。そして、上記突出部２０１への上記止水部材１の装着は、建物の外壁が建て方において建てられた後において行うことが可能であるため、上記突出部２０１に対して効率的に止水施工が行えるようになる。さらには、上記突出部２０１の止水処理を外壁の取付前に行う必要がある場合には、例えば、胴差板を用いることになるため、横目地ができて意匠性が低下するおそれがあるが、上記のように突出部２０１への止水部材１の装着を建物の外壁の施工後に行うことができると、上記胴差板を用いる場合の意匠性の低下も回避できる。さらには、上記のように第２シール部１２が柔軟性を有すると、外壁施工において精度が十分に出ていないような場合でも、上記第２シール部１２が変形できる範囲内で適切に対処することが可能である。
【００３６】
上記第２シール部１２の横方向張出部１２１が上記縦目地２００ａ内に押し込まれた状態で上記縦胴縁３の木口に接触して屋外方向に先端が向くように曲がると、雨水が１次止水部８を突破して縦目地２００ａ内に浸入し、上記縦胴縁３の木口側に至っても、上記第２シール部１２の横方向張出部１２１が上記木口に接触して樋として機能できることになるので、上記木口より屋内側に雨水が浸入するのを防止することができる。
【００３７】
上記第１シール部１１の屋内側端または上記第２シール部１２の屋内側面であって上記突出部２０１の横側となる位置に、上記２本の第１防水凸部１０１が設けられていると、仮に雨水が上記第２シール部１２を突破したとしても、この雨水が上記縦目地２００ａ内の隣り合う上記板材４の間に入りこむのを上記第１防水凸部１０１によって防止することができる。
【００３８】
また、上記突出部２０１の下側となる位置に上記第２防水凸部１０２が設けられていると、上記縦目地２００ａに設けられるガスケット７の２次止水側（上記ｃ部の空間）で下から吹き上げられた水が上記突出部２０１の下側の箇所（２本の第１防水凸部１０１Ａの間）に浸入するのを止めることができる。
【００３９】
上記上方向張出部１２２の屋外側となる面に上記第３防水凸部１０３が設けられていると、上記突出部２０１の目地内箇所で吹き上げられた水が当該突出部２０１の上側のガスケット７の２次止水側よりも屋内側に入り込むのを防止することができる。
【００４０】
上記上方向張出部１２２が上記上側のガスケット７に重なる長さを有していると、この上方向張出部１２２を上側のガスケット７内に入り込ませて目地止水の性能を高めることができる。
【００４１】
上記下方向張出部１２３が上記下側のガスケット７に重なる長さを有していると、上記下方向張出部１２３を下側のガスケット７内に入り込ませて目地止水の性能を高めることができる。
【００４２】
上記第１シール部１１の外面部に上記支持部１１ａが形成されていると、当該止水部材１を上記縦目地２００ａ内に押し込んだ後、１次止水部８となる不定形シール８１を受ける受け部材８２を規定位置に簡単に設けることができる。
【００４３】
先にも述べたが、上記止水部材１の取付施工においては、上記縦目地２００ａ内に上記第２シール部１２が位置することになり、この場合、上記ガスケット７の上記２次止水部７２における、上記板材４の木口の屋外側角に接するフィン部７２ａと上記第２シール部１２との関係においては、当該第２シール部１２の略全体は上記フィン部７２ａの屋外側に位置する一方で、上方向張出部１２２の上端側については、上記フィン部７２ａの屋内側に入り込むことになる。このため、上記第２シール部１２の縦目地２００ａ内での曲げにより、上方向張出部１２２の上側の中央側ほど屋内側に入り込むことになる。その結果、図７に示すように、上記２本の第１防水凸部１０１における上記互いに広がる部分が互いに略平行に位置するようになり、図８（Ａ）および図８（Ｂ）に示すように、板材４の角部の屋外側縁に沿って位置することで、上記ガスケット７が途切れる箇所での上記板材４の木口側への水の浸入を適切に防止することができる。
【００４４】
なお、上記第１シール部１１の基端側の上部側（傾斜ガイド部１１ｂの上板部）が平坦に形成されていると、上記第２シール部１２の湾曲によって、上記第１シール部１１の基端側の上部側が凹み、この凹みに水が溜まるおそれがあるが、これについては、以下に示す他の実施形態によって解決している。
【００４５】
次に、図９から図１４に基づいて他の実施形態を説明するが、上記の実施形態の構造と同様の構造を有する部材には同一の符号を付記し、主に相違点について説明していく。
【００４６】
この実施形態の止水部材１Ａは、先述の止水部材１が上記２本の第１防水凸部１０１を備えるのと同様、図９に示すように、２本の第１防水凸部１０１Ａを備えている。ただし、２本の第１防水凸部１０１Ａの上側部分については互いに広がらずに、他の部分と同様に互いに平行とされ、第１防水凸部１０１Ａの貼り付け作業の容易化が図られている。このように平行な２本の第１防水凸部１０１Ａを備える場合、上記縦目地２００ａ内で上方向張出部１２２が曲げられると、図１０に示すように、上記２本の第１防水凸部１０１Ａの上側の平行部分は、上側ほど捩じれて略縦に位置することになる。
【００４７】
上記の図１０におけるＡ１−Ａ１矢視の箇所では、図１１（Ａ）に示すように、上方向張出部１２２が屋内側に入り込んで幾分浅く湾曲することで、２本の第１防水凸部１０１Ａは板材４の角部の屋外側縁上に位置する。そして、上記の図１０におけるＢ１−Ｂ１矢視の箇所（上端側）では、図１１（Ｂ）に示すように、上方向張出部１２２が屋内側に深く入り込むことで、２本の第１防水凸部１０１Ａは、板材４の木口に接して位置することになる。すなわち、２本の第１防水凸部１０１Ａは、板材４の角部を屋外側面から木口にかけてクロスするように位置するので、このような２本の平行な第１防水凸部１０１Ａであっても、いずれかの箇所で適切に板材４の角部に接触でき、板材４の木口側への水の浸入を防止することができる。また、このように２本の第１防水凸部１０１Ａが板材４の角部を屋外側面から木口にクロスするように位置できると、上方向張出部１２２の湾曲の仕方に多少のバラツキが生じたとしても、板材４の木口側への水の浸入を適切に防止することが可能となる。
【００４８】
また、上記止水部材１Ａにおいては、先述の止水部材１が上記第２防水凸部１０２を備えるのと同様、第２防水凸部１０２Ａを備えている。ただし、この第２防水凸部１０２Ａは、２本の第１防水凸部１０１Ａの下側においてこれらを繋ぐように形成される（第１防水凸部１０１Ａ勝ちで形成される）のではなく、図１２にも示すように、２本の第１防水凸部１０１Ａの下側部分に取って代わるように形成されており、その横幅は、上記２本の第１防水凸部１０１Ａの外縁間に渡る長さとなっている。上記のような第２防水凸部１０２Ａが設けられていると、上記縦目地２００ａに設けられるガスケット７の２次止水部７２側（上記図１のｃ部の空間）に通じる隙間に対し、上記第２防水凸部１０２に比べてより長い範囲で存在できるため、下から吹き上げられた水が上記突出部２０１の下側の箇所（２本の第１防水凸部１０１Ａの間）へ浸入することに対する防止力を高めることができる。また、上記第２防水凸部１０２Ａの厚さは、上記第１防水凸部１０１Ａよりも厚くされており、上記防止力がさらに高められている。なお、第１防水凸部１０１Ａと第２防水凸部１０２Ａとは別体のものでもよいし、一体成型されたものでもよい。
【００４９】
また、上記止水部材１Ａにおいては、図１３にも示すように、上記第１シール部１１の基端側の上部側に、分水凸部１１ｃが形成されている。この分水凸部１１ｃは、上記傾斜ガイド部１１ｂの上板部分を略円弧状に上向に凸となるように形成することで得ている。先述のように、上方向張出部１２２が屋内側に入り込んで湾曲するときに、上記第１シール部１１の基端側の上部側が凹もうとしても、上記分水凸部１１ｃが存在することで、上側からの水を左右に流し、水の溜まりを生じさせることはない。なお、上記基端側の上部側の近傍に位置する上記第２シール部１２の箇所に、上記のような分水凸部を形成してもよいものである。また、分水凸部１１ｃの上部形状は円弧形状に限らず、先鋭形状であってもよいものである。
【００５０】
また、上記止水部材１Ａにおいては、上記第２シール部１２における、上記第１シール部１１の基端近傍（突出部２０１周りの部分）を、上記第２シール部１２における他の箇所の厚さよりも厚くして剛性を高め、上記縦目地２００ａに入れられることによる上記基端近傍の歪みや蛇行を抑制して漏水の低減を図ることができる。また、上記第２シール部１２における下方向張出部１２３の先端部の厚さも他の箇所よりも厚くすることで弾性（コシ）を高めており、当該第２シール部１２と下部側のガスケット７との接合性や水密性の向上を図っている。
【００５１】
また、上記止水部材１、１Ａにおいては、その下方向張出部１２３の左右両側に斜めカット部或いはアール部が形成されており、第２シール部１２の下部の目地への挿入の作業性が向上されたものとなるが、これに限るものではなく、例えば、図１４に示すように、略９０度の角部が形成されたものでもよい。
【００５２】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５３】
１          ：止水部材
１Ａ        ：止水部材
２          ：外壁面材
３          ：縦胴縁(下地材)
４          ：板材
５          ：フレーム
６          ：樹脂ピン
７          ：ガスケット
８          ：１次止水部
１１        ：第１シール部
１１ａ      ：支持部
１１ｂ      ：傾斜ガイド部
１１ｃ      ：分水凸部
１２        ：第２シール部
７１        ：１次止水部
７２        ：２次止水部
８１        ：不定形シール
８２        ：受け部材
１０１      ：第１防水凸部
１０１Ａ    ：第１防水凸部
１０２      ：第２防水凸部
１０２Ａ    ：第２防水凸部
１０３      ：第３防水凸部
１２１      ：横方向張出部
１２２      ：上方向張出部
１２３      ：下方向張出部
２００      ：外壁パネル
２００ａ    ：縦目地
２０１      ：突出部
【図１】
2018159262.tif 000003
【図２】
2018159262.tif 000004
【図３】
2018159262.tif 000005
【図４】
2018159262.tif 000006
【図５】
2018159262.tif 000007
【図６】
2018159262.tif 000008
【図７】
2018159262.tif 000009
【図８】
2018159262.tif 000010
【図９】
2018159262.tif 000011
【図１０】
2018159262.tif 000012
【図１１】
2018159262.tif 000013
【図１２】
2018159262.tif 000014
【図１３】
2018159262.tif 000015
【図１４】
2018159262.tif 000016